(57)【要約】【課題】光ピックアップとプリント基板裏面に設けたコネクタとがフレキシブルフラットケーブルで接続された光ピックアップ送り機構において、フレキシブルフラットケーブルがプリント基板等の挿通穴の縁と衝突して異音が発生することがなく、また、フレキシブルフラットケーブルに大きい荷重の繰り返し応力が加わることのない光ピックアップ送り機構を提供する。【解決手段】プリント基板３の表面上方で直線方向に往復駆動される光ピックアップ１とプリント基板裏面に設けたコネクタ５とがフレキシブルフラットケーブル４で接続されており、フレキシブルフラットケーブル４がプリント基板３に設けた挿通穴３ａを挿通してＵ字形に曲げられる。挿通穴３ａの前記Ｕ字形の外側に位置する後縁を両側から中央に向けて後退するように傾斜させた。【選択図】図１
2007200465.tif 000002
【特許請求の範囲】
【請求項１】
板状支持部材の表面上方で直線方向に往復駆動される光ピックアップと前記板状支持部材裏面に設けた固定部材とがフレキシブルフラットケーブルの両端を固定しており、前記フレキシブルフラットケーブルが前記板状支持部材に設けた挿通穴を挿通してＵ字形に曲げられる光ピックアップ送り機構において、前記挿通穴の前記Ｕ字形の外側に位置する後縁が両側から中央に向けて後退するように傾斜していることを特徴とするディスク装置の光ピックアップ送り機構。
【請求項２】
板状支持部材の表面上方で直線方向に往復駆動される光ピックアップと前記板状支持部材裏面に設けた固定部材とがフレキシブルフラットケーブルの両端を固定しており、前記フレキシブルフラットケーブルが前記板状支持部材に設けた挿通穴を挿通してＵ字形に曲げられる光ピックアップ送り機構において、前記挿通穴の前記Ｕ字形の外側に位置する後縁が光ピックアップ移動方向に対して傾斜していることを特徴とするディスク装置の光ピックアップ送り機構。
【請求項３】
板状支持部材の表面上方で直線方向に往復駆動される光ピックアップと前記板状支持部材裏面に設けた固定部材とがフレキシブルフラットケーブルの両端を固定しており、前記フレキシブルフラットケーブルが前記板状支持部材に設けた挿通穴を挿通してＵ字形に曲げられる光ピックアップ送り機構において、前記挿通穴の前記Ｕ字形の外側に位置する後縁に前記フレキシブルフラットケーブルの幅より狭い幅の切り欠きが設けられていることを特徴とするディスク装置の光ピックアップ送り機構。
【請求項４】
板状支持部材の表面上方で直線方向に往復駆動される光ピックアップと前記板状支持部材裏面に設けた固定部材とがフレキシブルフラットケーブルの両端を固定しており、前記フレキシブルフラットケーブルが前記板状支持部材に設けた挿通穴を挿通してＵ字形に曲げられる光ピックアップ送り機構において、前記板状支持部材の表面に前記挿通穴の前記Ｕ字形の外側に位置する後縁から光ピックアップの移動方向に延びる方向に筋状の突起が設けられたことを特徴とするディスク装置の光ピックアップ送り機構。    
【請求項５】
板状支持部材の表面上方で直線方向に往復駆動される光ピックアップと前記板状支持部材裏面に設けた固定部材がフレキシブルフラットケーブルの両端を固定しており、前記フレキシブルフラットケーブルが前記板状支持部材に設けた挿通穴を挿通してＵ字形に曲げられる光ピックアップ送り機構において、前記板状支持部材の表面に前記挿通穴の前記Ｕ字形の外側に位置する後縁から後側に向けて光ピックアップの移動方向と直角方向の断面が中央に向けて低くなる傾斜面を有する凹みが設けられていることを特徴とするディスク装置の光ピックアップ送り機構。
【発明の詳細な説明】
【技術分野】
【０００１】
この発明はディスク装置に係わり、特に、その光ピックアップ送り機構に関する。
【背景技術】
【０００２】
従来のＣＤプレーヤ、光ディスク記録再生装置等のディスク装置の光ピックアップ送り機構の例を図８〜図１０により説明する。図８に示すように光ピックアップ１にはガイドロッド２、２が挿通しており、図示していないメカニズムによりプリント基板３の上方でガイドロッド２、２に沿って往復駆動される。
【０００３】
光ピックアップ１とコネクタ５はフレキシブルフラットケーブル４で接続されている。すなわちフレキシブルフラットケーブル４の一端ははんだ付け等で光ピックアップ１に接続され、Ｕ字形に曲げられ、プリント基板の挿通穴３ａを挿通させてフレキシブルフラットケーブル４の他端がプリント基板の裏面に配置されたコネクタ５に接続される。
【０００４】
フレキシブルフラットケーブル４は樹脂シートに導体がプリントされたものまたは細長導体板を並べて樹脂シートで挟んだものであり可撓性であるため、初期には反っていなくても温度が高い状態で長時間保存すると、幅方向に曲がるように反ることがある。反りの方向は一定しないが、図９に示すようにＵ字形の外側の面が凹となるように反ることもある。
【０００５】
ところで幅方向に反ったままでは曲がることができないため、Ｕ字形に曲がる部分では一旦反りが矯正されて平となる。従って光ピックアップ１が送られるに従って、反りの矯正された部分が長手方向に沿って移動する。
【０００６】
反った状態で曲がるためには凸の部分が長くなるから平となるためには、幅方向中央の部分が縮むか端の部分が長くなるのであるが、実際には縮んだ部分や伸びた部分が長手方向にずれていくことになる。
【０００７】
このようにして、光ピックアップ１が移動するためにＵ字形の曲率の大きい部分が移動していく。そして、Ｕ字形の外側の部分が凸であるとスムーズな移動が可能であるが、逆に図９に示すようにＵ字形の外側の部分が凹であるとスムーズな移動ができず、フレキシブルフラットケーブルの変形状態が急激に変化する。このことは紙等の可撓性シートを反らせてＵ字形に曲げ、曲がった部分を移動させることにより容易に確認できる。
【０００８】
図１０（ａ）に光ピックアップ１が右方向に移動した状態を示しておりこの場合は、図１０（ｂ）に示すようにフレキシブルフラットケーブル４のプリント基板４の挿通穴３ａと当接する部分が反っている。図１０（ｃ）示すように光ピックアップ１が左方向に移動すると、図１０（ｄ）に示すようにフレキシブルフラットケーブル４の挿通穴３ａとの当接部が幅方向に平らとなり幅方向中央部がプリント基板４の挿通穴３ａと当接する。
【０００９】
この状態変化が急激に起きると、フレキシブルフラットケーブル４の幅方向中央部がプリント基板４の挿通穴３ａの縁に衝突して異音が発生し、製品の品位が低下する。また、フレキシブルフラットケーブル４の急激な変化に伴ない大きい応力変化も生じる。大きい応力変化が長時間に亘り繰り返されると、フレキシブルフラットケーブル４が劣化して、さらには破損する恐れもある。
【００１０】
特開２００３−３６６１４号公報に提案された光ディスクドライブ機構は、光ピックアップ１とプリント基板７の裏面に配置されたコネクタ８とを接続するフレキシブルプリント基板（ＦＰＣ）２はＵ字形に曲げられプリント基板７の孔７ａを挿通している。そして、孔７ａの後縁から後側のプリント基板７の上面を覆うシールド板９はフレキシブルプリント基板２と当接する。
【００１１】
この光ディスクドライブ機構ではプリント基板７の孔７ａの後縁がフレキシブルプリント基板２の幅方向と直角方向の直線であり、シールド板９は平板をフレキシブルプリント基板２の幅方向と直角方向の直線で折曲げて形成されているため、これらがフレキシブルプリント基板２をＵ字形の外側を凸に反らせる曲げ癖をつける作用を有していない。
【００１２】
従って、フレキシブルプリント基板２がＵ字形の外側が凹となるように反った場合は、上記した従来例と同様にフレキシブルプリント基板２と孔７ａの後縁またはシールド板９との衝突する異音が発生し、また、フレキシブルプリント基板２に大きい応力の繰り返し荷重が長期間に亘って加わるとフレキシブルプリント基板２が破損する恐れがある。
【特許文献１】特開平２００３−３６６１４号公報、段落０００６、図１、図２
【発明の開示】
【発明が解決しようとする課題】
【００１３】
この発明は上記した点に鑑みてなされたものであって、その目的とするところは、光ピックアップと板状支持部材裏面に設けた固定部材とがフレキシブルフラットケーブルの両端を固定しており、フレキシブルフラットケーブルが板状支持部材に設けた挿通穴を挿通してＵ字形に曲げられる光ピックアップ送り機構において、フレキシブルフラットケーブルが板状支持部材の挿通穴の縁と衝突して異音が発生することがなく、また、フレキシブルフラットケーブルに大きい荷重の繰り返し応力が加わることのない光ピックアップ送り機構を提供することにある。
【課題を解決するための手段】
【００１４】
この発明のディスク装置の光ピックアップ送り機構は、板状支持部材の表面上方で直線方向に往復駆動される光ピックアップと前記板状支持部材裏面に設けた固定部材とがフレキシブルフラットケーブルの両端を固定しており、前記フレキシブルフラットケーブルが前記板状支持部材に設けた挿通穴を挿通してＵ字形に曲げられる光ピックアップ送り機構において、前記挿通穴の前記Ｕ字形の外側に位置する後縁が両側から中央に向けて後退するように傾斜しているものである。
【００１５】
また、この発明のディスク装置の光ピックアップ送り機構は、板状支持部材の表面上方で直線方向に往復駆動される光ピックアップと前記板状支持部材裏面に設けた固定部材とがフレキシブルフラットケーブルの両端を固定しており、前記フレキシブルフラットケーブルが前記板状支持部材に設けた挿通穴を挿通してＵ字形に曲げられる光ピックアップ送り機構において、前記挿通穴の前記Ｕ字形の外側に位置する後縁が光ピックアップ移動方向に対して傾斜しているものである。
【００１６】
また、この発明のディスク装置の光ピックアップ送り機構は、板状支持部材の表面上方で直線方向に往復駆動される光ピックアップと前記板状支持部材裏面に設けた固定部材とがフレキシブルフラットケーブルの両端を固定しており、前記フレキシブルフラットケーブルが前記板状支持部材に設けた挿通穴を挿通してＵ字形に曲げられる光ピックアップ送り機構において、前記挿通穴の前記Ｕ字形の外側に位置する後縁に前記フレキシブルフラットケーブルの幅より狭い幅の切り欠きが設けられていることを特徴とするディスク装置の光ピックアップ送り機構。
【００１７】
また、この発明のディスク装置の光ピックアップ送り機構は、板状支持部材の表面上方で直線方向に往復駆動される光ピックアップと前記板状支持部材裏面に設けた固定部材とがフレキシブルフラットケーブルの両端を固定しており、前記フレキシブルフラットケーブルが前記板状支持部材に設けた挿通穴を挿通してＵ字形に曲げられる光ピックアップ送り機構において、前記板状支持部材の表面に前記挿通穴の前記Ｕ字形の外側に位置する後縁から光ピックアップの移動方向に延びる方向に筋状の突起が設けられたものである。
【００１８】
また、この発明のディスク装置の光ピックアップ送り機構は、板状支持部材の表面上方で直線方向に往復駆動される光ピックアップと前記板状支持部材裏面に設けた固定部材がフレキシブルフラットケーブルの両端を固定しており、前記フレキシブルフラットケーブルが前記板状支持部材に設けた挿通穴を挿通してＵ字形に曲げられる光ピックアップ送り機構において、前記板状支持部材の表面に前記挿通穴の前記Ｕ字形の外側に位置する後縁から後側に向けて光ピックアップの移動方向と直角方向の断面が中央に向けて低くなる傾斜面を有する凹みが設けられているものである。
【発明の効果】
【００１９】
この発明の光ピックアップ送り機構によれば、フレキシブルフラットケーブルが板状支持部材の挿通穴の縁と衝突して異音が発生することがなく、また、フレキシブルフラットケーブルに大きい荷重の繰り返し応力が加わることがない。
【発明を実施するための最良の形態】
【００２０】
以下この発明を実施するための最良の形態を実施例に即して説明する。
【実施例１】
【００２１】
図１（ａ）はこの発明の実施例１である光ピックアップ送り機構を示す平面図、図１（ｂ）は図１（ａ）におけるＡ−Ａ断面図、図１（ｃ）は同光ピックアップ送り機構を示す部分拡大平面図である。図１に示すように光ピックアップ１にはガイドロッド２、２が挿通しており、図示していないメカニズムによりプリント基板３の上方でガイドロッド２、２に沿って往復駆動される。
【００２２】
光ピックアップ１とコネクタ５はフレキシブルフラットケーブル４で接続されている。なお、フレキシブルフラットケーブル４は樹脂シートに複数の帯状導体を並列となるように印刷したいわゆるＦＰＣ（フレキシブルプリントサーキット）でもよく、また、複数の帯状導体を樹脂シートで挟んで形成したものでもよい。
【００２３】
フレキシブルフラットケーブル４の一端ははんだ付け等で光ピックアップ１に接続され、さらに、Ｕ字形に曲げられプリント基板の挿通穴３ａを挿通させフレキシブルフラットケーブル４の他端がプリント基板の裏面に配置されたコネクタ５に接続される。
【００２４】
プリント基板の挿通穴３ａの後縁は図１（ａ）または図１（ｃ）に示されているようにＶ字形の切り欠きが形成されている。フレキシブルフラットケーブル４は可撓性であるため、初期には反っていなくても温度が高い状態で長時間保存したりすると、幅方向に曲がるように反ることがある。しかしながらフレキシブルフラットケーブル４は、弾性があるためＵ字形に曲げられると、図１（ｂ）に示すようにプリント基板の挿通穴３ａの後縁に圧接される。
【００２５】
このため、フレキシブルフラットケーブル４が変形されて、図２に示すようにＵ字形の外面が凸となるように反り癖が付けられる。光ピックアップ１が移動するにつれてＵ字形に曲がる部分が移動し反りの部分は幅方向に平となる。このようにフレキシブルフラットケーブル４は繰り返しの変形が生じるが、先に従来例で説明したようにＵ字形の外面が凸であると、変形はスムーズに変化して繰り返し応力は小さくなる。
【００２６】
図３（ａ）に光ピックアップ１が右方向に移動した状態を示しておりこの場合は、図３（ｂ）に示すようにフレキシブルフラットケーブル４のプリント基板４の挿通穴３ａと当接する部分がＵ字形の外面が凸となるように反っている。
【００２７】
図３（ｃ）示すように光ピックアップ１が左方向に移動すると、フレキシブルフラットケーブル４のプリント基板４の挿通穴３ａと当接する部分が曲り、図３（ｄ）に示すように幅方向に平坦となるが、変形状態の変化がスムーズであり、しかもフレキシブルフラットケーブル４の中央部分がプリント基板４の挿通穴３ａの縁から離れるだけであり、衝突による異音が発生しない。
【００２８】
このように実施例１の光ピックアップ送り機構では、反り癖のつきやすい薄いフレキシブルフラットケーブルを使用しても、光ピックアップの移動に伴って異音が発生することがなく、また、フレキシブルフラットケーブルに大きい応力の繰り返し荷重が加わって破損する恐れがない。
【実施例２】
【００２９】
図４（ａ）はこの発明の実施例２である光ピックアップ送り機構の要部を示す概略断面図、図４（ｂ）は同光ピックアップ送り機構の部材の当接状態を示す断面図、図４（ｃ）は同光ピックアップ送り機構の要部を示す概略平面図である。
【００３０】
実施例２の光ピックアップ送り機構ではピックアップ支持シャーシ６の挿通穴６ａの後縁は直線状であるが、ピックアップ支持シャーシ６の表面に挿通穴６ａの後縁から後方に向けて筋状突起６ｂ、６ｂが形成されている。他の構成は実施例１と同様である。
【００３１】
この例では図４（ｂ）に示すようにフレキシブルフラットケーブル４がピックアップ支持シャーシ６に圧接された状態でフレキシブルフラットケーブル４の両端が筋状突起６ｂ、６ｂに押し上げられフレキシブルフラットケーブル４にＵ字形外面が凸となる反り癖が付けられて実施例１と同様の効果が得られる。
【実施例３】
【００３２】
図５（ａ）はこの発明の実施例３である光ピックアップ送り機構の要部を示す概略断面図、図５（ｂ）は同光ピックアップ送り機構の部材の当接状態を示す断面図、図５（ｃ）は同光ピックアップ送り機構の要部を示す概略平面図である。
【００３３】
実施例３の光ピックアップ送り機構では、ピックアップ支持シャーシ６の挿通穴６ａの後縁は直線状であるが、ピックアップ支持シャーシ６の表面に挿通穴６ａの後縁から後方に向けてＶ字形の凹み６ｃが形成されている。他の構成は実施例１と同様である。
【００３４】
この例では、図５（ｂ）に示すようにフレキシブルフラットケーブル４がピックアップ支持シャーシ６に圧接された状態でフレキシブルフラットケーブル４が凹み６ｃに押されてフレキシブルフラットケーブル４にＵ字形外面が凸となる反り癖が付けられて実施例１と同様の効果が得られる。
【実施例４】
【００３５】
図６はこの発明の実施例４である光ピックアップ送り機構の要部を示す概略平面図である。実施例４の光ピックアップ送り機構では、プリント基板３の挿通穴３ａの後縁にフレキシブルフラットケーブル４の幅より狭い幅の切り欠きが設けられている。他の構成は実施例１と同様である。
【００３６】
この例では、フレキシブルフラットケーブル４がプリント基板３に圧接された状態でフレキシブルフラットケーブル４の両側がプリント基板３に押されて、フレキシブルフラットケーブル４にＵ字形外面が凸となる反り癖が付けられ実施例１と同様の効果が得られる。
【実施例５】
【００３７】
図７はこの発明の実施例５である光ピックアップ送り機構の要部を示す概略平面図である。実施例５の光ピックアップ送り機構では、プリント基板３の挿通穴３ａの後縁がフレキシブルフラットケーブル４の長手方向に対して傾斜している。他の構成は実施例１と同様である。
【００３８】
この例ではフレキシブルフラットケーブル４がプリント基板３に圧接された状態でフレキシブルフラットケーブル４の片側がプリント基板３に押されて、フレキシブルフラットケーブル４にＵ字形外面が凸となる反り癖が付けられる。反り癖は必ずしも左右対称とはならないが、やはり実施例１と同様の効果が得られる。
【００３９】
実施例は以上の様に構成されているが発明はこれに限られず、例えば、プリント基板やピックアップ支持シャーシ等に設けられる挿通穴の後縁は曲線状に傾斜してもよい、また、ピックアップ支持シャーシ等の表面に設けられる筋状突起や凹みは曲面に形成してもよい。さらに、フレキシブルフラットケーブルが挿通穴から離れたコネクタに接続される場合はフレキシブルフラットケーブルが垂れ下がらないように挿通穴の近傍で両面テープ等の固定部材で固定してもよい。
【図面の簡単な説明】
【００４０】
【図１】図１（ａ）はこの発明の実施例１である光ピックアップ送り機構を示す平面図、図１（ｂ）は図１（ａ）におけるＡ−Ａ断面図、図１（ｃ）は同光ピックアップ送り機構を示す部分拡大平面図である。
【図２】同光ピックアップ送り機構の作用を説明する斜視図である。
【図３】図３（ａ）は同光ピックアップ送り機構の要部の１の状態を示す概略断面図、図３（ｂ）は図３（ａ）におけるＡ方向矢視図、図３（ｃ）は同要部の他の状態を示す概略断面図、図３（ｄ）は図３（ｃ）におけるＢ方向矢視図である。
【図４】図４（ａ）はこの発明の実施例２である光ピックアップ送り機構の要部を示す概略断面図、図４（ｂ）は同光ピックアップ送り機構の部材の当接状態を示す断面図、図４（ｃ）は光ピックアップ送り機構の要部を示す概略平面図である。
【図５】図５（ａ）はこの発明の実施例３である光ピックアップ送り機構の要部を示す概略断面図、図５（ｂ）は同光ピックアップ送り機構の部材の当接状態を示す断面図、図５（ｃ）は光ピックアップ送り機構の要部を示す概略平面図である。
【図６】この発明の実施例４である光ピックアップ送り機構の要部を示す概略平面図である。
【図７】この発明の実施例５である光ピックアップ送り機構の要部を示す概略平面図である。
【図８】図８（ａ）は従来の光ピックアップ送り機構の例を示す平面図、図８（ｂ）は図８（ａ）におけるＡ−Ａ断面図、図８（ｃ）は同光ピックアップ送り機構を示す部分拡大平面図である。
【図９】同光ピックアップ送り機構の作用を説明する斜視図である。
【図１０】図１０（ａ）は同光ピックアップ送り機構の要部の１の状態を示す概略断面図、図１０（ｂ）は図１０（ａ）におけるＡ方向矢視図、図１０（ｃ）は同要部の他の状態を示す概略断面図、図１０（ｄ）は図１０（ｃ）におけるＢ方向矢視図である。
【符号の説明】
【００４１】
１  光ピックアップ
２  ガイドロッド
３  プリント基板、３ａ  挿通穴、３ｂ  筋状突起、３ｃ  凹み
４  フレキシブルフラットケーブル
５  コネクタ
６  ピックアップ支持シャーシ６、６ａ  挿通穴、６ｂ  筋状突起、６ｃ  凹み
【図１】
2007200465.tif 000003
【図２】
2007200465.tif 000004
【図３】
2007200465.tif 000005
【図４】
2007200465.tif 000006
【図５】
2007200465.tif 000007
【図６】
2007200465.tif 000008
【図７】
2007200465.tif 000009
【図８】
2007200465.tif 000010
【図９】
2007200465.tif 000011
【図１０】
2007200465.tif 000012